(57)【要約】【課題】生体分泌液を採取する際、皮膚内部に微細孔を形成するという操作が必要であった。収集部材周囲に流れてくる体液を収集することはできなかった。【解決手段】採取器具１００を用いて生体の分泌液を採取する方法であって、（ａ）採取器具１００を準備し、採取器具１００は、外表面と、第一内表面及び第２内表面で規定される凹部を有する容器と、第一内表面または第二内表面の少なくともいずれかに配置される弁板１１１を備え、弁板１１１により凹部の底面が規定され、（ｂ）容器の第一内表面の反対の面である外表面の一部と生体とが接して配置され、（ｃ）凹部に生体の分泌液が貯留され、（ｄ）生体の動作に応じて、生体と接する外表面と第一内表面とが撓むことにより、弁板１１１の位置が変わり、凹部の底面に孔が形成され、分泌液が孔を通過して容器の内底面に向かって浸入することにより、分泌液を採取する。【選択図】図１
2017219453.tif 000002
【特許請求の範囲】
【請求項１】
採取器具を用いて、生体の分泌液を採取する方法であって、
（ａ）前記採取器具を準備し、
前記採取器具は、
外表面と、第一内表面及び第二内表面で規定される凹部を有する容器と、
前記第一内表面または前記第二内表面の少なくともいずれかに配置される弁板を備え、
前記弁板により前記凹部の底面が規定され、
（ｂ）前記容器の前記第一内表面の反対の面である外表面の一部と生体とが接して配置され、
（ｃ）前記凹部に前記生体の分泌液が貯留され、
（ｄ）前記生体の動作に応じて、前記生体と接する前記外表面と前記第一内表面とが撓むことにより、前記弁板の位置が変わり、前記凹部の底面に孔が形成され、前記分泌液が前記孔を通過して、前記容器の内底面に向かって浸入することにより、前記分泌液を採取する、生体の分泌液を採取する方法。
【請求項２】
生体に接するように配置されることにより、生体の分泌液を採取する採取器具であって、
外表面と、第一内表面及び第二内表面で規定される凹部を有する容器と、
前記第一内表面または前記第二内表面の少なくともいずれかに配置される弁板を備え、
前記弁板により前記凹部の底面が規定され、
前記生体と接して配置される前記容器の外表面の一部の反対の面である前記第一内表面が前記生体の動作に応じて、前記生体と接する前記外表面と前記第一内表面とが撓むことにより、前記弁板の位置が変わり、前記凹部の底面に孔が形成され、前記分泌液が前記孔を通過して、前記容器の内底面に向かって浸入することにより、前記分泌液を採取される、採取器具。
【請求項３】
外表面と、第一内表面及び第二内表面で規定される凹部を有する容器において、
容器入口から外表面側面にスリットを設けたことを特徴とする請求項２記載の採取器具。
【請求項４】
外表面と、第一内表面及び第二内表面で規定される凹部を有する容器において、
容器入口と弁板との間の前記第一内表面側に突起を設けたことを特徴とする請求項２または３いずれかに記載の採取器具。
【請求項５】
第一内表面に第一弁板を設け、第二内表面に第二弁板を設け、前記第一弁板が前記第二弁板の上方に重なることを特徴とする請求項２から４いずれかに記載の採取器具。
【請求項６】
第一内表面または前記第二内表面の少なくともいずれかに配置する弁板を複数備えていることを特長とする請求項２から５いずれかに記載の採取器具。
【請求項７】
外表面と、第一内表面及び第二内表面で規定される凹部を有する容器内部において、
前記第一内表面と前記第二内表面に接触する仕切り板を内底面に対して垂直に設け、前記仕切り板と前記内底面と前記第一内表面または前記第二内表面によって構成される空間を複数設けることを特徴とする請求項２から６いずれかに記載の採取器具。
【請求項８】
弁板から内底面との間の第一内表面または第二内表面、あるいは内底面の少なくともいずれかに、分泌液中の分子を変換することができる触媒を備えていることを特徴とする請求項２から７いずれかに記載の採取器具。
【請求項９】
触媒は、分泌液中の分子を分解することができる酵素であることを特徴とする請求項８記載の採取器具。
【発明の詳細な説明】
【技術分野】
【０００１】
本発明は、生体分泌液採取方法および採取器具に関する。
【背景技術】
【０００２】
特許文献１は、生体成分分析方法を開示している。被験者から組織液を収集し、収集された組織液中の生体成分を分析するための工程および装置が開示されている。皮膚に対して角質層を貫通し表皮内部と真皮との境界まで達する微細孔を形成し、微細孔上の皮膚に貼付した収集部材中のゲルによって皮下組織からの組織液を収集する。
【０００３】
特許文献２は、生理活性物質固定化用基材を開示している。基材と、樹脂層と、生理活性物質捕捉用物質としてのビオチン化合物とがこの順で構成され、樹脂層において基材側と反対側の面が親水性を有している。血清等の生理的液体をビオチン化合物が固定された側の樹脂層に接触させることによって、ビオチン化合物と結合性を有する生理活性物質を捕捉することが可能となる。
【先行技術文献】
【特許文献】
【０００４】
【特許文献１】特開２０１０−２７１２５９号公報
【特許文献２】特開２０１１−１４１２３２号公報
【特許文献２】特開２００４−０９７５２４号公報
【特許文献２】特開２０１４−１７３８３６号公報
【特許文献２】特開平０９−１３１３７１号公報
【発明の概要】
【発明が解決しようとする課題】
【０００５】
特許文献１では、皮膚内部に微細孔を形成するという操作が必要となるため、体に負担をかけるものであった。また収集部材はゲルと皮膚との接触部のみから組織液を収集する構成となっており、ゲルと皮膚との接触部以外には水分を透過させない素材から成る粘着膜で囲んでいるため、収集部材周囲に流れてくる体液を収集することはできなかった。
【０００６】
また、特許文献２では、生理活性物質捕捉用物質としてのビオチン化合物は樹脂層表面に固定化され、外表面に対して剥き出しの状態で存在している。例えば使用前の保管時に他物質と接触して、他物質が樹脂層表面に付着すると、所望の検体を正確に測定できない可能性があった。
【０００７】
本発明の目的は、体を傷つけることなく負担をかけずに、体外に分泌される生体分泌液を採取できる採取方法および採取器具を提供することにある。
【０００８】
また、生理活性物質等の生体分泌液を採取する場が外表面に対して剥き出しの状態で存在することなく、所望の物質を採取して正確に測定するための採取方法および採取器具を提供することにある。
【課題を解決するための手段】
【０００９】
採取器具を用いて、生体の分泌液を採取する方法であって、（ａ）前記採取器具を準備し、前記採取器具は、外表面と、第一内表面及び第二内表面で規定される凹部を有する容器と、前記第一内表面または前記第二内表面の少なくともいずれかに配置される弁板を備え、前記弁板により前記凹部の底面が規定され、（ｂ）前記容器の前記第一内表面の反対の面である外表面の一部と生体とが接して配置され、（ｃ）前記凹部に前記生体の分泌液が貯留され、（ｄ）前記生体の動作に応じて、前記生体と接する前記外表面と前記第一内表面とが撓むことにより、前記弁板の位置が変わり、前記凹部の底面に孔が形成され、前記分泌液が前記孔を通過して、前記容器の内底面に向かって浸入することにより、前記分泌液を採取する。
【発明の効果】
【００１０】
本発明は、体を傷つけることなく負担をかけずに、体外に分泌される生体分泌液を採取できる採取方法および採取器具を提供する。
【００１１】
また、生理活性物質等の生体分泌液を採取する場が外表面に対して剥き出しの状態で存在することなく、所望の物質を採取して正確に測定するための採取方法および採取器具を提供する。
【図面の簡単な説明】
【００１２】
【図１】第１実施形態による採取器具１００の断面図。
【図２】第１実施形態による採取器具１００を前面から見たときの平面図。
【図３】第１実施形態による採取器具１００を側面から見たときの平面図。
【図４】第１実施形態による採取器具１００を牛の口角付近へ貼付した様子を表す模式図。
【図５】第１実施形態による採取器具１００の伸縮状態を表す断面図。
【図６】第１実施形態による変形例としての採取器具１５１を前面から見たときの平面図。
【図７】第２実施形態による採取器具２００の断面図。
【図８】第２実施形態による採取器具２００を前面から見たときの平面図。
【図９】第２実施形態による採取器具２００を側面から見たときの平面図。
【図１０】第２実施形態による採取器具２００の伸縮状態を表す断面図。
【図１１】第３実施形態による採取器具３００の断面図。
【図１２】第４実施形態による採取器具４００の断面図。
【図１３】第４実施形態による採取器具４００の伸縮状態を表す断面図。
【図１４】第５実施形態による採取器具５００の断面図。
【図１５】第５実施形態による採取器具５００の伸縮状態を表す断面図。
【図１６】第６実施形態による採取器具６００の断面図。
【図１７】第６実施形態による採取器具６００を前面から見たときの平面図。
【図１８】第６実施形態による採取器具６００を側面から見たときの平面図。
【図１９】第７実施形態による採取器具７００の断面図。
【図２０】第７実施形態による採取器具７００を前面から見たときの平面図。
【発明を実施するための形態】
【００１３】
（第１実施形態）
図１は、第１実施形態による採取器具１００の断面図を示す。図２は、第１実施形態による採取器具１００を前面から見たときの平面図を示す。図３は第１実施形態による採取器具１００を側面から見たときの平面図を示す。平面図における破線は、内側の構成を表している。
【００１４】
図１、図２および図３に示されるように、採取器具１００は、基材１０１によって凹部を形成する容器構造を有している。基材１０１はポリエチレン、ポリプロピレン、ポリエステル、ポリエチレンテレフタラート、ポリアミド、ポリ塩化ビニリデン、ポリフッ化ビニリデン、ナイロン、ポリ塩化ビニル、酢酸セルロース、ポリアクリロニトリル、天然ゴム、イソプレンゴム、ブタジエンゴム、エチレン酢酸ビニル共重合体、シリコーンゴム等の伸縮性を有する樹脂材料で形成される。
【００１５】
また、基材１０１の外側の一面には粘着剤１０２が塗布されており、生体表面に貼付することができる。
【００１６】
採取器具１００は、粘着剤１０２が塗布されている面の反対の面である第一内表面に弁板１１１を備えている。弁板１１１の先端は第一内表面の向かい側の第二内表面へ向かって伸びている。弁板１１１の先端は、第二内表面と接していることが望ましいが、それに限らない。弁板１１１によって凹部の底面が形成され、図１における弁板１１１の上部に開口部１２１、下部に反応部１３１という空間が形成される。
【００１７】
反応部１３１の内壁には、触媒１４１が塗布されている。触媒１４１はペプシン、トリプシン、キモトリプシン、パパイン、テルモリシン、カスパーゼ、ブロメライン、フィシン、アクチニジン等、生体分泌液中のタンパク質を分解できるプロテアーゼ等の酵素を塗布している。または酵素以外においても、Ｃｕ、Ｚｎ等の金属を含有する金属系触媒、金属と有機化合物とで形成される錯体触媒等、タンパク質中のペプチド結合を切断できる触媒を用いてもよい。図１においては内壁全面に触媒１４１を塗布しているが、塗布面は一部分であっても構わない。また触媒１４１を反応部１３１内に固定せずに備えることでも構わない。
【００１８】
次に本実施形態における採取器具１００が生体分泌液を採取する動作について説明する。
【００１９】
採取器具１００は、粘着剤１０２が塗布されている面を体表面に接着させることによって近傍に分泌される生体分泌液を採取することができる。例えば生体分泌液として唾液を採取することを目的とする場合、口周辺に貼付する。図４は牛の口角付近に採取器具１００を貼付した様子を表す模式図を示す。このとき開口部１２１が上部に位置するように貼付することが望ましい。
【００２０】
牛は唾液を口外へ分泌する傾向があり、口角からも唾液が口外の皮膚表面へ垂れてくる。図４のように口角付近やや下側へ採取器具１００を設置することによって、口外へ垂れてきた唾液が開口部１２１に流入しやすい。
【００２１】
牛は食事をする際、頬にある咬筋を動かすことによって咀嚼する。咬筋の運動によって口角付近の皮膚も伸縮運動することになる。口角付近の皮膚に貼付された採取器具１００は、咀嚼時の咬筋に基づく皮膚の伸縮運動によって、採取器具１００自身も伸縮し、開口部１２１に流入した唾液を反応部１３１へ送り込んで収納することができる。
【００２２】
採取器具１００が伸縮することによって唾液が反応部１３１へ送り込まれる動作について詳細に述べる。図５には唾液が反応部１３１へ送り込まれる仕組みを時系列的に表した採取器具１００の断面の模式図を示す。口角から唾液が垂れてくると口角付近に貼付した採取器具１００の開口部１２１に入り込む（１）。咀嚼運動によって、咬筋の運動に伴い貼付部の皮膚が伸縮するため、貼付側の外表面は皮膚に連動して伸縮することになる。例えば貼付部の皮膚が伸長した場合には特に貼付側の外表面の上端と下端が互いに逆方向へ伸長しようとするため、貼付側の外表面は伸長し、内表面は若干内側に収縮する。その結果、外表面側に対して凸になるように沿った形に撓む。そのときに第一内表面に配置された弁板１１１の位置が変わるため、弁板１１１の先端と第二内表面との間に隙間が広がる。その結果、開口部１２１に溜まっていた唾液が反応部１３１に流入することになる（２）。
【００２３】
一方、貼付部の皮膚が収縮した場合には、貼付側の外表面の上端と下端が互いに中心方向へ収縮しようとするため、貼付側の外表面は収縮し、内表面は若干外側に伸長する。その結果外表面側に対して凹になるように沿った形に撓む。そのときに第一内表面に配置された弁板１１１の位置が変わるため、弁板１１１の先端と第二内表面との間に隙間が広がる。その結果、開口部１２１に溜まっていた唾液が反応部１３１に流入することになる（３）。
【００２４】
以上のような動作によって、採取器具１００を口角付近に貼付するだけで人為的に操作することなく唾液を反応部１３１へ誘導することができる。
【００２５】
反応部１３１へ誘導された唾液中の生体分子の一部は反応部１３１内壁に塗布されている触媒１４１と接触するときに変換される。本実施形態においては触媒１４１としてトリプシンを用いた場合について以下に説明する。
【００２６】
トリプシンはタンパク質を構成するアミノ酸残基の内、主に塩基性アミノ酸であるリジン、アルギニンのカルボキシル側のペプチド結合を加水分解することができる。その結果、生体分泌液中のタンパク質がトリプシンと接触すると、タンパク質中のペプチド結合が切断され、速やかにアミノ酸、あるいはアミノ酸が複数結合しているポリアミノ酸の状態に分解することができる。
【００２７】
唾液等の生体分泌液を採取した採取器具１００を体表面から取り外して反応部１３１に溜まった液体を取り出すと、質量分析計または電気泳動等の分析機器を用いることによって生体分泌液中の生体分子の定性、定量測定をすることができる。またより簡便な方法として、採取器具１００へ電磁波を照射して、その透過強度または反射強度を測定することによっても反応部１３１内に採取された生体分子を分析することができる。しかし、例えばテラヘルツ帯等の波長帯の電磁波を用いる場合では、特にタンパク質等の大きい分子量の物質に関しては特定波長特有の吸収を示しにくく同定が難しい。一方でアミノ酸、またはポリアミノ酸程度の比較的小さい分子量では、特定波長に吸収を有する特長のある指紋スペクトル情報を得やすい。本実施形態では、反応部１３１に存在する触媒１４１によって採取した生体分子をアミノ酸、ポリアミノ酸に分解できるため、分解された分子の指紋スペクトル情報を得ることが容易となる。その情報を解析することによって、分解前のタンパク質を推定することが可能になる。
【００２８】
なお、本実施形態においてはタンパク質の分解について説明したが、検出目的の生体分子が、脂質、糖鎖等であっても構わない。適宜、触媒１４１を選択して対応できる。
【００２９】
また、生体分泌液中における目的分子を採取する場に、所望の検体以外の物質が混入すると、所望の検体の正確な測定ができなくなる。特に触媒１４１の働きを抑制するような物質が混入すると、所望の検体を採取したときに触媒１４１による分解反応が進行せずに、指紋スペクトル情報を得やすい分子に変換することができなくなる可能性がある。本実施形態では、酵素１４１が塗布されている反応部１３１は弁板１１１によって外部と隔離されている構造となっているため、所望の検体以外の物質混入を抑制することができる。
【００３０】
また、本実施形態においては口角付近に貼付した場合について説明したが、例えば下唇付近、下あご等、咀嚼運動時に伸縮する部位であり、唾液が垂れ落ちてくる箇所であれば同様の効果を有する。
【００３１】
また、本実施形態では唾液採取に関して説明したが、目周辺に貼付して涙を採取することもできる。また、体表面に貼付して、体外に分泌された汗、皮脂等を採取することも可能である。
【００３２】
また、第二内表面に弁板１１１を備え、弁板１１１の先端が第一内表面へ向かう構成にしてもよい。
【００３３】
また、本実施形態による変形例として、図６に採取器具１５１の平面図を示す。破線は、内側の構成を表している。
【００３４】
図６において、開口部１２１と反応部１３１との間に通路１５２を設け、通路１５４内に弁板１５３を備える構成となっている。本構成において反応部１３１をより外部と隔離することができ、同様の効果を有することができる。また弁板１５３は棒状であってもよい。
【００３５】
（第２実施形態）
図７は、第２実施形態による採取器具２００の断面図を示す。図８は、第２実施形態による採取器具２００を前面から見たときの平面図を示す。図９は第２実施形態による採取器具２００を側面から見たときの平面図を示す。平面図における破線は、内側の構成を表している。
【００３６】
本実施形態において、第１実施形態と異なる点について述べる。
【００３７】
採取器具２００は、粘着剤１０２が塗布されている面の反対の面である第一内表面に第一弁板２１１を備えている。第一内表面の向かい側の面が第二内表面であり、第二内表面に第二弁板２１２を備えている。第一弁板２１１と第二弁板２２１は互いに向かい合うように構成してある。互いの先端は接していることが望ましいが、それに限らない。第一弁板２１１と第二弁板２２１によって凹部の底面が形成され、図２における第一弁板２１１と第二弁板２１２の上部に開口部２２１、下部に反応部２３１という空間が形成される。
【００３８】
次に本実施形態における採取器具２００が生体分泌液を採取する動作について説明する。本実施形態においても図４のように牛の口角付近に貼付したときの動作をもとに説明する。
【００３９】
図１０には唾液が反応部２３１へ送り込まれる仕組みを時系列的に表した採取器具２００の断面の模式図を示す。口角から唾液が垂れてくると口角付近に貼付した採取器具２００の開口部２２１に入り込む（１）。咀嚼運動によって、咬筋の運動に伴い貼付部の皮膚が伸縮したとき、貼付側の外表面に対して凸になるように沿った形に撓む。そのときに第一内表面に配置された第一弁板２１１の位置が変わるため、第一弁板２１１と第二弁板２１２との間に隙間が広がる。その結果、開口部２２１に溜まっていた唾液が反応部２３１に流入することになる（２）。
【００４０】
一方、貼付部の皮膚が収縮したときには、貼付側の外表面に対して凹になるように沿った形に撓む。そのときに第一内表面に配置された第一弁板２１１の位置が変わるため、第一弁板２１１と第二弁板２１２との間に隙間が広がる。その結果、開口部２２１に溜まっていた唾液が反応部２３１に流入することになる（３）。
【００４１】
以上のような動作によって、採取器具２００を口角付近に貼付するだけで人為的に操作することなく唾液を反応部２３１へ誘導することができる。
【００４２】
（第３実施形態）
図１１は、第３実施形態による採取器具３００を側面から見たときの平面図を示す。平面図における破線は、内側の構成を表している。
【００４３】
本実施形態において、第１実施形態と異なる点について述べる。
【００４４】
採取器具３００は、粘着剤１０２が塗布されている面の反対の面である第一内表面に弁板３１１を備えている。第一内表面の向かい側の面が第二内表面であり、弁板３１１の先端は第二内表面へ向かって伸びている。弁板３１１の先端は、第二内表面と接していることが望ましいが、それに限らない。また、入口から弁板３１１の位置の高さまでのスリット３５１を開口部３２１側面に設けている。
【００４５】
このような構成をとることで、採取器具３００を体表面に貼付したときに、第一内表面側の動作に対して第二内表面側の動作が連動しにくくなるため、第一内表面の弁板３１１の先端と第二内表面との間に隙間が広がりやすい。その結果、生体分泌液を反応部３３１へ誘導しやすくなる。
【００４６】
また本実施形態において、弁板３１１を第二内表面に備え、弁板３１１の先端が第一内表面へ向かうように構成してもよい。
【００４７】
また、弁板３１１と向かい合うように、第二内表面に第二弁板３１２（図示なし）を備える構成にしてもよい。
【００４８】
（第４実施形態）
図１２は、第４実施形態による捕捉体４００の断面図を示す。
【００４９】
本実施形態において、第１実施形態と異なる点について述べる。
【００５０】
採取器具４００は、粘着剤１０２が塗布されている面の反対の面である第一内表面に第一弁板４１１を備えている。第一内表面の向かい側の面が第二内表面であり、第二内表面に第二弁板４１２を備えている。第一弁板４１１と第二弁板４１２は互いに向かい合う位置関係にある。互いの先端は接していることが望ましいが、それに限らない。第一弁板４１１と第二弁板４１２によって凹部の底面が形成され、図１０における第一弁板４１１と第二弁板の上部に開口部４２１、下部に反応部４３１という空間が形成される。
【００５１】
また、図１０における第一弁板４１１の上方にリブ４５１を設けている。
【００５２】
次に本実施形態における採取器具４００が生体分泌液を採取する動作について説明する。本実施形態においても図４のように牛の口角付近に貼付したときの動作をもとに説明する。
【００５３】
図１３には唾液が反応部４３１へ送り込まれる仕組みを時系列的に表した採取器具４００の断面の模式図を示す。口角から唾液が垂れてくると口角付近に貼付した採取器具４００の開口部４２１に入り込む（１）。咀嚼運動によって、咬筋の運動に伴い貼付部の皮膚が伸縮したとき、貼付側の外表面に対して凸になるように沿った形に撓む。そのときに第一内表面に配置された第一弁板４１１の位置が変わるため、第一弁板４１１と第二弁板４１２との間に隙間が広がる。その結果、開口部４２１に溜まっていた唾液が反応部４３１に流入することになる。このとき、リブ４５１が開口部４２１の空間内により突き刺さるように動作するため、開口部４２１内の圧力が高くなる。このことによって、開口部４２１に溜まっていた唾液を反応部４３１内へより流入させることができる。（２）
本実施形態においては、特に貼付側の外表面に対して凸になるように沿った形に撓むときに、開口部４２１内に溜まった唾液を反応部４３１へより押し込む力が働き、流入させやすくすることが可能となる。その結果、唾液を採取することをより確実にすることができる。
【００５４】
また、本実施形態ではリブを形成したが、開口部４２１内へ突き出す突起状の構成を設けてもよい。
【００５５】
また、本実施形態においても、第３実施形態のように側面にスリットを設けてもよい。
【００５６】
（第５実施形態）
図１４は、第５実施形態による捕捉体５００の断面図を示す。
【００５７】
図１４において第２実施形態と異なる点は、第一弁板５１１が、第二弁板５１２に対して、開口部５２１側に重なるように位置している点である。
【００５８】
次に本実施形態における採取器具５００が生体分泌液を採取する動作について説明する。本実施形態においても図４のように牛の口角付近に貼付したときの動作をもとに説明する。
【００５９】
図１５には唾液が反応部５３１へ送り込まれる仕組みを時系列的に表した採取器具５００の断面の模式図を示す。口角から唾液が垂れてくると口角付近に貼付した採取器具５００の開口部５２１に入り込む（１）。咀嚼運動によって、咬筋の運動に伴い貼付部の皮膚が伸縮したときに貼付側の外表面に対して凸になるように沿った形に撓む。しかし、本実施形態においては第一弁板５１１が第二弁板５１２よりも開口部５２１側に位置するため、隙間が生じにくく、唾液が反応部５３１へ流入しにくい。（２）
一方、貼付部の皮膚が収縮した場合には、貼付側の外表面に対して凹になるように沿った形に撓む。この場合においては、第一弁板５１１と第二弁板５１２との間に隙間が広がる。その結果、開口部５２１に溜まっていた唾液が反応部５３１に流入することになる（３）。
【００６０】
本実施形態では、例えば採取器具保管時に所望検体以外の物質が反応部５３１内へ流入することをより抑制することができる。
【００６１】
また、反応部５３１に溜まった唾液を開口部５２１へ逆流することを抑制できる。その結果、確実に唾液を反応部５３１に保持することが可能となる。
【００６２】
また、本実施形態においても、第３実施形態のように側面にスリットを設けてもよい。
【００６３】
（第６実施形態）
図１６は、第６実施形態による採取器具６００の断面図を示す。図１７は、第６実施形態による採取器具６００を前面から見たときの平面図を示す。図１８は第６実施形態による採取器具６００を側面から見たときの平面図を示す。平面図における破線は、内側の構成を表している。
【００６４】
本実施形態では、粘着剤１０２が塗布されている面の反対の面である第一内表面に上方弁板６１１と下方弁板６１２を備えている。それに伴い、開口部６２１と反応部６３１の間に、中間部６３２が設けられ、図１４における上部から順に、開口部６２１、中間部６３２、反応部６３１という空間が形成される。
【００６５】
本実施形態では、中間部６３２を設けることによって、例えば採取器具保管時に所望検体以外の物質が反応部６３１内へ流入することをより抑制することができる。
【００６６】
また、反応部６３１に溜まった唾液が皮膚の伸縮によって開口部６２１へ逆流することを抑制できる。その結果、確実に唾液を反応部６３１に保持することが可能となる。
【００６７】
開口部６２１または中間部６３２にリブまたは突起を設けてもよい。
【００６８】
また、第二内表面に弁板を設けて、第一弁板と対抗させる構成にしてもよい。第一弁板が対抗面側から出ている第二弁板の上部に重なるような構成にしてもよい。
【００６９】
（第７実施形態）
図１９は、第７実施形態による採取器具７００の断面図を示す。図２０は、第７実施形態による採取器具７００を前面から見たときの平面図を示す。平面図における破線は、内側の構成を表している。
【００７０】
本実施形態では、採取器具７００内部に第一内表面と第二内表面に接触する仕切り板７５１を内底面に対して垂直に設けることによって、第一反応部７３１と第二反応部７３２を構成することを特徴とする。
【００７１】
第一反応部７３１の内壁には第一触媒７４１が、第二反応部７３２の内壁には第二触媒７４２がそれぞれ塗布されている。
【００７２】
第一触媒７４１、および第二触媒７４２はペプシン、トリプシン、キモトリプシン、パパイン、テルモリシン、カスパーゼ、ブロメライン、フィシン、アクチニジン等、生体分泌液中のタンパク質を分解できるプロテアーゼ等の酵素を用いることができる。または酵素以外においても、Ｃｕ、Ｚｎ等の金属を含有する金属系触媒、金属と有機化合物とで形成される錯体触媒等、タンパク質中のペプチド結合を切断できる触媒を用いてもよい。
【００７３】
例えば、第一触媒７４１としてトリプシン、第二触媒７４２としてキモトリプシンを用いた場合について以下に説明する。
【００７４】
トリプシンはタンパク質を構成するアミノ酸残基の内、主に塩基性アミノ酸であるリジン、アルギニンのカルボキシル側のペプチド結合を加水分解することができる。その結果、生体分泌液中のタンパク質がトリプシンと接触すると、タンパク質中のペプチド結合が切断され、速やかにアミノ酸、あるいはアミノ酸が複数結合しているポリアミノ酸の状態に分解することができる。
【００７５】
また、キモトリプシンはタンパク質を構成するアミノ酸残基の内、主に芳香族アミノ酸であるフェニルアラニン、チロシン等のカルボキシル側のペプチド結合を加水分解することができる。その結果、生体分泌液中のタンパク質がキモトリプシンと接触すると、タンパク質中のペプチド結合が切断され、速やかにアミノ酸、あるいはアミノ酸が複数結合しているポリアミノ酸の状態に分解することができる。
【００７６】
生体分泌液中の同種のタンパク質でも、トリプシンまたはキモトリプシンによって分解されるアミノ酸、ポリアミノ酸の種類は異なるため、分解された分子の情報を解析することによって、より精度よく分解前のタンパク質を推定することが可能になる。
【００７７】
また、仕切り板７５１を開口部７２１先端部まで伸ばして、開口部７２１を複数の部屋に分割する構成にしてもよい。
【００７８】
また、本実施形態では二部屋に分割したが、それ以上の部屋数に分割してもよい。
【産業上の利用可能性】
【００７９】
本発明は、体を傷つけることなく負担をかけずに、体外に分泌される生体分泌液を採取できる採取方法および採取器具を提供する。
また、生理活性物質等の生体分泌液を捕捉する場が外表面に対して剥き出しの状態で存在することなく、所望の物質を捕捉して正確に測定するための採取方法および採取器具を提供する。
【符号の説明】
【００８０】
１００    採取器具
１０１    基材
１０２    粘着剤
１１１    弁板
１２１    開口部
１３１    反応部
１４１    触媒
１５１    通路
１５２    弁板
２００    採取器具
２１１    第一弁板
２１２    第二弁板
２２１    開口部
２３１    反応部
３００    採取器具
３１１    第一弁板
３１２    第二弁板
３２１    開口部
３３１    反応部
３５１    スリット
４００    採取器具
４１１    第一弁板
４１２    第二弁板
４２１    開口部
４３１    反応部
４５１    リブ
５００    採取器具
５１１    第一弁板
５１２    第二弁板
５２１    開口部
５３１    反応部
６００    採取器具
６１１    上方弁板
６１２    下方弁板
６２１    開口部
６３１    反応部
６３２    中間部
７００    採取器具
７１１    第一弁板
７２１    開口部
７３１    第一反応部
７３２    第二反応部
７４１    第一触媒
７４２    第二触媒
【図１】
2017219453.tif 000003
【図２】
2017219453.tif 000004
【図３】
2017219453.tif 000005
【図４】
2017219453.tif 000006
【図５】
2017219453.tif 000007
【図６】
2017219453.tif 000008
【図７】
2017219453.tif 000009
【図８】
2017219453.tif 000010
【図９】
2017219453.tif 000011
【図１０】
2017219453.tif 000012
【図１１】
2017219453.tif 000013
【図１２】
2017219453.tif 000014
【図１３】
2017219453.tif 000015
【図１４】
2017219453.tif 000016
【図１５】
2017219453.tif 000017
【図１６】
2017219453.tif 000018
【図１７】
2017219453.tif 000019
【図１８】
2017219453.tif 000020
【図１９】
2017219453.tif 000021
【図２０】
2017219453.tif 000022